(57)【特許請求の範囲】
【請求項１】
枠体内に配置された複数の障子の少なくとも一つを見付け方向にスライドさせて開口部を開閉する引き形式のサッシ窓において、該サッシ窓を閉じた状態で内外の召合せ框間を施錠する框内蔵型施錠装置であって、
室内側障子の内召合せ框内又は前記内召合せ框及びその室内側に突設されたケース内に収容された錠本体の掛け具を、室外側障子の外召合せ框の室内側に露出した受け具に係合させて施錠するものであり、
前記錠本体に、
見付け方向支軸まわりに回転可能に支持された中間歯車と、
該中間歯車の上下に噛合する下ラック歯及び上ラック歯がそれぞれの下面及び上面に形成され、見込み方向に直動可能に支持され、それぞれが逆方向に進退する上下一対のラック体と、
これらラック体の中の、上側ラック体の上面に形成された上ラック歯又は下側ラック体の下面に形成された下ラック歯に噛合する歯車が設けられ、その見付け方向支軸まわりに回動可能に支持された前記掛け具と、
前記上下のラック体の室内側に装着又は前記ラック体と一体に形成された上下の押しボタンと、
を備え、
前記上側ラック体の上面又は前記下側ラック体の下面に対して、前記錠本体により上下方向に直動可能に支持された係合部材を弾性付勢し、前記上下の押しボタンの一方を操作して施錠した際に前記係合部材が係合する係合凹部を、前記上側ラック体の上面又は前記下側ラック体の下面に形成するとともに、前記係合部材を前記弾性付勢力に抗して移動させる操作片を前記内召合せ框の室内側に設けてなることを特徴とする框内蔵型施錠装置。
【発明の詳細な説明】
【技術分野】
【０００１】
本発明は、枠体内に配置された複数の障子の少なくとも一つを見付け方向にスライドさせて開口部を開閉する引き形式のサッシ窓において、該サッシ窓を閉じた状態で内外の召合せ框間を施錠する框内蔵型施錠装置に関するものである。
【背景技術】
【０００２】
引違い、片引き又は両引き（引分け）の引き形式のサッシ窓の内召合せ框内に収容された錠本体の掛け具を、操作部材により操作して内召合せ框の室外側面から出没させ、外召合せ框内の受け具に係合させて施錠する框内蔵型施錠装置があり（特許文献１〜４参照。）、施錠位置が外部から見えにくくなること又は見えないことから防犯上好ましいこと、凹凸の少ない又は凹凸の無いすっきりとした外観になるためデザイン上も好ましいこと及び清掃がしやすいこと等の特徴がある。
このような框内蔵型施錠装置において、操作性の向上を目的として前記操作部材を押しボタンとし、該押しボタンを押し込むことにより施錠を行い、該施錠状態から押しボタンをさらに押し込むことによって圧縮コイルばねにより押しボタンを押し戻して解錠を行うものがある（例えば、特許文献１の図８参照。）。
【先行技術文献】
【特許文献】
【０００３】
【特許文献１】特開平８−１４４６０９号公報
【特許文献２】特開２００３−００３７１６号公報
【特許文献３】特開２００６−１１８１３３号公報
【特許文献４】特開２００９−２９９４３２号公報
【発明の概要】
【発明が解決しようとする課題】
【０００４】
前記操作部材を押しボタンとした框内蔵型施錠装置は、ラック歯を有する押しボタンを押し込んで前記ラック歯に噛合する中間歯車を回転させ、該中間歯車に噛合する歯車が形成された掛け具を受け具に係合させて施錠し、解錠する際には、前記施錠状態から押しボタンをさらに押し込んでストッパー機構を解除するとともに、外召合せ框内の圧縮コイルばねを変形させた復元力により押しボタンを室内側へ押し戻しながら掛け具を受け具から外すように構成されている。
したがって、押しボタンのワンタッチ操作により施解錠を行う構成であるため、操作性の向上については一定の効果があるものであるが、押しボタンを押し込んで圧縮コイルばねを変形させ、その復元力により解錠状態に復帰させる構成であるため、摺動摩擦の大きさの変動等により動作が不確実・不安定になる場合がある。例えば、圧縮コイルばねの付勢力によって付勢された押しボタンが解錠状態となる位置まで復帰せずに途中で止まってしまった場合には、この押しボタンを引き戻して解錠状態にするよう操作する必要がある。
また、外召合せ框内の圧縮コイルばねを変形させる必要があることから、押しボタンのストロークが大きくなるため、内召合せ框から室内側への押しボタンの突出量が大きくなる（例えば、特許文献１の図８（ａ）参照。）。
【０００５】
そこで本発明が前述の状況に鑑み、解決しようとするところは、押しボタンによる施解錠動作を確実にかつ安定して行うことができ、内召合せ框から室内側への押しボタンの突出量が大きくなることがないためすっきりとした滑らかな外観にすることができる框内蔵型施錠装置を提供する点にある。
【課題を解決するための手段】
【０００６】
本発明に係る框内蔵型施錠装置は、前記課題解決のために、枠体内に配置された複数の障子の少なくとも一つを見付け方向にスライドさせて開口部を開閉する引き形式のサッシ窓において、該サッシ窓を閉じた状態で内外の召合せ框間を施錠する框内蔵型施錠装置であって、室内側障子の内召合せ框内又は前記内召合せ框及びその室内側に突設されたケース内に収容された錠本体の掛け具を、室外側障子の外召合せ框の室内側に露出した受け具に係合させて施錠するものであり、前記錠本体に、見付け方向支軸まわりに回転可能に支持された中間歯車と、該中間歯車の上下に噛合する下ラック歯及び上ラック歯がそれぞれの下面及び上面に形成され、見込み方向に直動可能に支持され、それぞれが逆方向に進退する上下一対のラック体と、これらラック体の中の、上側ラック体の上面に形成された上ラック歯又は下側ラック体の下面に形成された下ラック歯に噛合する歯車が設けられ、その見付け方向支軸まわりに回動可能に支持された前記掛け具と、前記上下のラック体の室内側に装着又は前記ラック体と一体に形成された上下の押しボタンとを備え、前記上側ラック体の上面又は前記下側ラック体の下面に対して、前記錠本体により上下方向に直動可能に支持された係合部材を弾性付勢し、前記上下の押しボタンの一方を操作して施錠した際に前記係合部材が係合する係合凹部を、前記上側ラック体の上面又は前記下側ラック体の下面に形成するとともに、前記係合部材を前記弾性付勢力に抗して移動させる操作片を前記内召合せ框の室内側に設けてなることを特徴とする。
【０００７】
このような構成によれば、見込み方向に直動可能に支持された上下一対のラック体が見付け方向支軸まわりに回転可能に支持された中間歯車を介して逆方向に進退することから、一方のラック体の押しボタン（閉ボタン）を室外方向へ押すと、受け具に係合するように掛け具が回動して施錠状態となり、この施錠状態から他方のラック体の押しボタン（開ボタン）を室外方向へ押すと、受け具との係合を解除するように掛け具が回動して解錠状態となる。
よって、上下個別の押しボタンのワンタッチ操作により施解錠を行うことができるため、押しボタンによる施解錠動作を確実にかつ安定して行うことができるとともに操作性を向上することができる。
その上、特許文献１のように１個の押しボタンを２段階に押し込んで施解錠をする構成のように押し込みストロークを大きくする必要がないことから、内召合せ框から室内側へ押しボタンが大きく突出することがないため、すっきりとした滑らかな外観にすることが容易である。
【０００８】
その上さらに、前記上側ラック体の上面又は前記下側ラック体の下面に対して、前記錠本体により上下方向に直動可能に支持された係合部材を弾性付勢し、前記上下の押しボタンの一方を操作して施錠した際に前記係合部材が係合する係合凹部を、前記上側ラック体の上面又は前記下側ラック体の下面に形成するとともに、前記係合部材を前記弾性付勢力に抗して移動させる操作片を前記内召合せ框の室内側に設けてなるので、施錠状態では係合部材が係合凹部に係合することから押しボタン（開ボタン）を押すことができないロック状態となるため防犯性が高くなる。
その上、操作片により係合部材を弾性付勢力に抗して移動させることができるため、解錠する際には、操作片を操作して係合部材を係合凹部から外した状態とした後に、押しボタン（開ボタン）のワンタッチ操作により解錠することができる。
その上さらに、内召合せ框の室内側に設けた操作片の位置を視認して施解錠状態を認識することができるため、施錠忘れ防止効果が高くなる。
【発明の効果】
【０００９】
以上のように、本発明に係る框内蔵型施錠装置によれば、中間歯車の上下に噛合する上下一対のラック体がそれぞれ逆方向に見込み方向に進退し、これらラック体の一方に噛合する歯車が設けられた掛け具を、上下一対のラック体の室内側の押しボタン操作により操作する構成であることから、上下個別の押しボタンのワンタッチ操作により施解錠を行うことができるため、押しボタンによる施解錠動作を確実にかつ安定して行うことができるとともに操作性を向上することができ、押しボタンを２段階に押し込んで施解錠をする構成のように押し込みストロークを大きくする必要がないことから、内召合せ框から室内側へ押しボタンが大きく突出することがないため、すっきりとした滑らかな外観にすることができ、施錠状態では係合部材が係合凹部に係合することから押しボタン（開ボタン）を押すことができないロック状態となるため防犯性が高くなり、解錠する際には、操作片を操作して係合部材を係合凹部から外した状態とした後に、押しボタン（開ボタン）のワンタッチ操作により解錠することができ、内召合せ框の室内側に設けた操作片の位置を視認して施解錠状態を認識することができるため、施錠忘れ防止効果が高くなるという顕著な効果を奏する。
【図面の簡単な説明】
【００１０】
【図１】内召合せ框内に錠本体を収容する本発明の実施の形態に係る框内蔵型施錠装置を引き違いサッシに取り付けた状態を示す斜視図である。
【図２】（ａ）は開ボタンを操作して解錠した際の押しボタンの状態を示す斜視図、（ｂ）は閉ボタンを操作して施錠した際の押しボタンの状態を示す斜視図である。
【図３】内召合せ框内に錠本体を収容する本発明の実施の形態に係る框内蔵型施錠装置の部分縦断側面図であり、解錠状態を示している。
【図４】同部分縦断側面図であり、（ａ）は解錠状態と施錠状態との中間の状態を、（ｂ）は施錠状態を示している。
【図５】中間歯車、その上下のラック体及び掛け具並びに押しボタンの構成例を示す分解斜視図である。
【図６】内召合せ框及びその室内側に突設されたケース内に錠本体を収容する本発明の実施の形態に係る框内蔵型施錠装置を引き違いサッシに取り付けた状態を示す斜視図である。
【図７】同框内蔵型施錠装置の部分縦断側面図であり、施錠状態を示している。
【発明を実施するための形態】
【００１１】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、室内側（図中ＩＤ参照。）から室外側（図中ＯＤ参照。）へ向かう方向の前側を前、後側を後とし、左右は前方に向かっていうものとする。
ここで、本発明に係る框内蔵型施錠装置が使用される引き形式のサッシ窓としては、例えば引違い、片引き又は両引き（引分け）の引き形式のサッシ等が挙げられるが、以下においては、引き形式のサッシ窓の例として、引き違いサッシについて説明する。
【００１２】
図１に示すように、引き違いサッシ２１は、枠体２２内に配置された引き違い可能な室内側障子２３及び室外側障子２４を左右方向（見付け方向）にスライドさせて開口部を開閉するものであり、室内側障子２３の内召合せ框２５内及び室外側障子２４の外召合せ框２６内に框内蔵型施錠装置Ａの主要部品が収容されており、図２に示す開ボタンである押しボタン７及び閉ボタンである押しボタン８の個別のワンタッチ操作により解錠及び施錠を行うことができる。
すなわち、図２（ａ）及び図３に示すように開ボタンである押しボタン７を室外側へ押した状態が解錠状態であり、図２（ｂ）及び図４（ｂ）に示すように閉ボタンである押しボタン８を室外側へ押した状態が施錠状態であり、該施錠状態では、内召合せ框２５内に収容された錠本体１の掛け具９が外召合せ框２６の室内側に露出した受け具１０に係合する。
【００１３】
図３に示すように、框内蔵型施錠装置Ａは、錠本体１及び受け具１０により構成され、錠本体１は、内召合せ框２５に取り付けられた基体２及び押しボタンガイド枠体３並びにこれらに装着された後述する部品により構成される。
図３〜図５に示すように、中間歯車４の左右方向の通孔４Ａにリベット１９を挿入して軸端を加締めることにより、中間歯車４は基体２により左右方向支軸（見付け方向支軸）Ｓ１まわりに回転可能に支持される。
【００１４】
また、中間歯車４に下ラック歯５Ｂを噛合させた上側ラック体５の左右方向に貫通する前後方向（見込み方向）長孔５Ｃにリベット１８を挿入して軸端を加締め、上側ラック体５の室内側部分を押しボタン７の凹部７Ａに嵌入して装着するとともに、押しボタン７を押しボタンガイド枠体３の通孔３Ａに嵌入する。
さらに、中間歯車４に上ラック歯６Ａを噛合させた下側ラック体６の左右方向に貫通する前後方向長孔６Ｃにリベット１７を挿入して軸端を加締め、下側ラック体６の室内側部分を押しボタン８の凹部８Ａに嵌入して装着するとともに、押しボタン８を押しボタンガイド枠体３の通孔３Ｂに嵌入する。
さらにまた、基体２に立設されたリベット１６Ａと下側ラック体６の前端部下側に装着された連結板１４に立設されたリベット１６Ｂとによりねじりコイルばね１５の端末を支持しているため、下側ラック体６の前端部は上方へ弾性付勢される。
よって、上側ラック体５及び下側ラック体６は、基体２及び押しボタンガイド枠体３により前後方向に直動可能に支持されるとともに、それぞれが逆方向に進退する。
【００１５】
また、掛け具９は、その歯車９Ａを上側ラック体５の上ラック歯５Ａに噛合させた状態で、左右方向の通孔９Ｃにリベット２０を挿入して軸端を加締めることにより、基体２により左右方向支軸Ｓ２まわりに回転可能に支持される。
さらに、図３及び図４に示すように、下側ラック体６の下側に位置する係合部材１１は、その上下方向長孔１１Ａにリベット１１Ｂが挿入されてその軸端が加締められ、基体２により上下方向に直動可能に支持されるとともに、上下方向に伸縮する圧縮コイルばね１２により下側ラック体６下面を押圧し、係合部材１１を圧縮コイルばね１２の弾性付勢力に抗して移動させる操作片１３が図５に示す押しボタンガイド枠体３の通孔３Ｃに挿通され、操作片１３は内召合せ框２５の室内側から操作することができる（図２も参照。）。
さらにまた、下側ラック体６の下面には、係合部材１１の上端部が係合する係合凹部６Ｂ（図５も参照。）が形成されており、図４（ｂ）に示す施錠状態において係合凹部６に係合部材１１が係合する。
なお、このような係合凹部及び該係合凹部に係合する係合部材は、上下のラック体５，６が連動することから、上側ラック体５の上面に対して、その上側から、基体２により上下方向に直動可能に支持された係合部材を弾性付勢し、該係合部材が施錠状態で係合する係合凹部を上側ラック体５の上面に形成してもよい。
【００１６】
次に、以上のような構成の框内蔵型施錠装置Ａの施解錠動作について説明する。
図２（ａ）及び図３に示す解錠状態で、閉ボタンである押しボタン８を前方（室外方向）へ押すと、図３中の矢印のように、下側ラック体６が前方へ移動し、中間歯車４を介して連動する上側ラック体５が後方（室内方向）へ移動する。
したがって、上側ラック体５の上ラック歯５Ａに噛合している歯車９Ａが回動し、掛け具９は、図３から図４（ａ）のように反時計まわりに回動し、さらに回動して図４（ｂ）に示す掛け具９の円弧状係合板９Ｂが受け具１０の係合片１０Ａに係合した施錠状態となる。
また、この施錠状態では、上述のとおり下側ラック体６の下面の係合凹部６Ｂに係合部材１１が係合していることから、下側ラック体６の移動が規制され、中間歯車４を介して下側ラック体６と連動する上側ラック体５の移動も規制されるため、開ボタンである押しボタン７を操作することができないロック状態となっている。
このロック状態の解除は、図２（ｂ）及び図４（ｂ）の施錠状態において図４（ｂ）の矢印のように操作片１３を押し下げることにより行うことができ、このようにして下側ラック体６の係合凹部６Ｂから係合部材１１を外した状態とした後、図２（ａ）に示すように開ボタンである押しボタン７を押すことにより、掛け具９の円弧状係合板９Ｂが時計まわりに回動して受け具１０の係合片１０Ａから外れ、図３に示す解錠状態となる。
【００１７】
ここで、框内蔵型施錠装置Ａは、図６及び図７に示すように、その錠本体１を、内召合せ框２５及びその室内側に突設されたケースである押しボタンガイド枠体２７内に収容するように構成してもよく、このような構成によれば、既設の引き形式のサッシ窓に容易に取り付けることができる。
また、掛け具９を下側ラック体６の下側に配置し、歯車９Ａを下側ラック体６の下ラック歯に噛合させるようにしてもよく、この場合には、上側の押しボタン７が閉ボタンとなり、下側の押しボタン８が開ボタンになる。
【００１８】
以上のような框内蔵型施錠装置Ａの構成によれば、前後方向に直動可能に支持された上下一対のラック体５，６が左右方向支軸Ｓ１まわりに回転可能に支持された中間歯車４を介して逆方向に進退することから、一方のラック体の押しボタン（閉ボタン）を室外方向へ押すと、受け具１０に係合するように掛け具９が回動して施錠状態となり、この施錠状態から他方のラック体の押しボタン（開ボタン）を室外方向へ押すと、受け具１０との係合を解除するように掛け具９が回動して解錠状態となる。
よって、上下個別の押しボタン７，８のワンタッチ操作により施解錠を行うことができるため、押しボタン７，８による施解錠動作を確実にかつ安定して行うことができるとともに操作性を向上することができる。
【００１９】
また、特許文献１のように１個の押しボタンを２段階に押し込んで施解錠をする構成のように押し込みストロークを大きくする必要がないことから、内召合せ框２５から室内側へ押しボタンが大きく突出することがないため、すっきりとした滑らかな外観にすることが容易である。
さらに、施錠状態では係合部材１１が係合凹部６Ｂに係合することから開ボタンである押しボタンを押すことができないロック状態となるため防犯性が高くなる。
さらにまた、操作片１３により係合部材１１を圧縮コイルばね１２の弾性付勢力に抗して移動させることができるため、解錠する際には、操作片１３を操作して係合部材１１を係合凹部６Ｂから外した状態とした後に、押しボタン（開ボタン）のワンタッチ操作により解錠することができる。
また、内召合せ框２５の室内側に設けた操作片１３の位置を視認して施解錠状態を認識することができるため、施錠忘れ防止効果が高くなる。
【符号の説明】
【００２０】
Ａ  框内蔵型施錠装置
ＩＤ  室内側
ＯＤ  室外側
Ｓ１，Ｓ２  左右方向支軸（見付け方向支軸）
１  錠本体
２  基体
３  押しボタンガイド枠体
３Ａ，３Ｂ，３Ｃ  通孔
４  中間歯車
４Ａ  通孔
５  上側ラック体
５Ａ  上ラック歯
５Ｂ  下ラック歯
５Ｃ  見込み方向長孔
６  下側ラック体
６Ａ  上ラック歯
６Ｂ  係合凹部
６Ｃ  前後方向長孔（見込み方向長孔）
７  押しボタン（開ボタン）
８  押しボタン（閉ボタン）
７Ａ，８Ａ  凹部
９  掛け具
９Ａ  歯車
９Ｂ  円弧状係合板
９Ｃ  通孔
１０  受け具
１０Ａ  係合片
１１  係合部材
１１Ａ  上下方向長孔
１１Ｂ  リベット
１２  圧縮コイルばね
１３  操作片
１４  連結板
１５  ねじりコイルばね
１６Ａ，１６Ｂ  リベット
１７，１８，１９，２０  リベット
２１  引き違いサッシ（引き形式のサッシ窓）
２２  枠体
２３  室内側障子
２４  室外側障子
２５  内召合せ框
２６  外召合せ框
２７  押しボタンガイド枠体（室内側に突設されたケース）
【図１】
0005521928.tif 000002
【図２】
0005521928.tif 000003
【図３】
0005521928.tif 000004
【図４】
0005521928.tif 000005
【図５】
0005521928.tif 000006
【図６】
0005521928.tif 000007
【図７】
0005521928.tif 000008